(57)【要約】【課題】製造コストが低く、画品質を安定させることができ、組立が容易な画像読取装置を提供する。【解決手段】互いに平行な一対のガイド部材６ａと、ガイド部材６ａに沿って走行可能に取り付けられた走行体１５と、両端部が走行体１５に固定されたミラー１１とを備えた画像読取装置において、ミラー１１の長手方向の略々中央部において、ミラー１１の反射面１１ａに対して垂直な面１１ｂを押圧する押圧手段を走行体１５に設けた。これによって、ミラー１１が撓むことがなく、焦点を合わせるための作業が容易で、画像読取装置の組立が容易となる。押圧手段は、ミラー１１の反射面１１ａに対して垂直な面１１ｂを押圧する板ばね１７とすることが好適である。板ばね１７のみによってミラー１１を押さえるため、部品点数が少なくなり、ミラー１１を一定力で押圧することで安定した振動防止効果が得られ、画品質が安定する。【選択図】  図１
2004341010.tif 000002
【特許請求の範囲】
【請求項１】
互いに平行な一対のガイド部材と、該ガイド部材に沿って走行可能に取り付けられた走行体と、両端部が前記走行体に固定されたミラーとを備えた画像読取装置において、
前記ミラーの長手方向の略々中央部において、該ミラーの反射面に対して垂直な面を押圧する押圧手段を前記走行体に設けたことを特徴とする画像読取装置。
【請求項２】
前記押圧手段は、前記ミラーの反射面に対して垂直な面を押圧する板ばねを含むことを特徴とする請求項１記載の画像読取装置。
【発明の詳細な説明】
【０００１】
【発明の属する技術分野】
本発明は、画像読取装置、特に、複写機、ファクシミリ装置、複合機等に使用される画像読取装置に関する。
【０００２】
【従来の技術】
従来の複写機等では、図４及び図５に示すように、上方が開かれた筐体６にガラス板７を載置し、筐体６の内部に画像読取走査のための光学ユニット３、４を有する。これらの光学ユニット３、４は、ワイヤー５に連結され、ワイヤー５をドラム１に巻き付けることによって、光学ユニット３、４をけん引し、原稿８と平行に移動させて画像読取走査を行なう。
【０００３】
光学ユニット３には、ランプ９とミラー１１とが搭載され、光学ユニット４には、ミラー１１が２枚搭載され、光学ユニット３に搭載されたランプ９の光２２を原稿８に照射し、反射した光２２を、光学ユニット３、４に搭載されているミラー１１に反射させ、最終的に、図示しない画像読取部において原稿８上の画像が読み取られる。
【０００４】
画像読取走査をする際には、図示しないモータの振動や、ガイド部材６ａの上を光学ユニット３、４の滑り材が移動することによって発生した振動が光学ユニット３、４に伝達され、光学ユニット３、４に搭載されているミラー１１が振動する。これにより、ミラー１１上で光２２が反射する際に、光２２の反射する方向が変化し、図６に示すように、例えば、原稿８に書かれた直線２０が、読取走査後の読取画１９にはジャザー状のジッタ２１として現れる場合がある。
【０００５】
このジッタ２１を防止するため、第１の従来例として、従来の画像読取装置の光学ユニット４には、例えば、図７及び図８に示すように、ブラケット１２にスポンジ１３を貼着し、ブラケット１２を走行体１５にねじ１４で固定し、スポンジ１３側をミラー１１の中央付近の反射面の裏面に押圧している。
【０００６】
また、同様の目的で、第２の従来例として、特許文献１には、図１０及び図１１に示すように、ミラー１１の中央付近にブラケット１２を走行体１５にねじ１４で固定し、ブラケット１２からミラー１１の反射面の裏面方向へねじ１４または突起物を突出させてミラー１１の反射面の裏面に当接させ、反射面から板ばね１６をブラケット１２にねじ１４で固定し、ミラー１１を押圧する構成が提案されている。
【０００７】
さらに、同様の目的で、第３の従来例として、特許文献２には、図１２に示すように、概略コの字断面状に成形された板ばね２６の一片側から当該断面方向にスリット２６ａを形成して該板ばね２６を部分的に分割し、板ばね２６の他片側２６ｄをミラー支持部２７の平坦面２７ａと反対の側に固定して、板ばね２６の分割部分の一方２６ｂによりミラー１１を平坦面２７ａに押圧するとともに、分割部分の他方２６ｃによりミラー１１を突起２８に当接させる構成も提案されている。
【０００８】
【特許文献１】
特許第３０７７７６８号公報
【０００９】
【特許文献２】
実公平６−４１２０９号公報
【００１０】
【発明が解決しようとする課題】
しかし、上記第１及び第２の従来例においては、光学ユニット３、４のミラー１１の中央部付近において、ミラー１１の反射面または裏面を数個の部品で押さえていたため、部品点数が多くなり、これに伴って材料コストが高くなり、製造コストが上昇するという問題があった。また、第３の従来例においても、ミラー１１を当接させる突起２８を形成したり、スリット２６ａを有する板ばね２６を形成する必要があるため、材料コスト、ひいては製造コストが上昇するという問題があった。
【００１１】
さらに、第１の従来例においては、ミラー１１を押圧するにあたってスポンジ１３を使用しているため、押圧力のばらつきが大きくなり、振動防止効果が安定せず、画品質安定性が低下するという問題があった。
【００１２】
また、第１及び第２の従来例においては、ミラー１１の長手方向の中央部付近において、ミラー１１の反射面または裏側を押圧するため、図９に示すように、ミラー１１が撓み、焦点を合わせるための作業に長時間を要し、画像読取装置の組立が容易ではないという問題があった。
【００１３】
そこで、本発明は、上記従来の画像読取装置等における問題点に鑑みてなされたものであって、製造コストが低く、画品質を安定させることができ、組立が容易な画像読取装置を提供することを目的とする。
【００１４】
【課題を解決するための手段】
上記目的を達成するため、請求項１記載の発明は、画像読取装置であって、互いに平行な一対のガイド部材と、該ガイド部材に沿って走行可能に取り付けられた走行体と、両端部が前記走行体に固定されたミラーとを備えた画像読取装置において、前記ミラーの長手方向の略々中央部において、該ミラーの反射面に対して垂直な面を押圧する押圧手段を前記走行体に設けたことを特徴とする。
【００１５】
そして、請求項１記載の発明によれば、ミラーの長手方向の略々中央部において、押圧手段によって、該ミラーの反射面または裏面方向を押圧するのではなく、該ミラーの反射面に対して垂直な面を押圧するため、ミラーが撓むことがなく、焦点を合わせるための作業が容易で、画像読取装置の組立を容易に行うことができる。
【００１６】
請求項２記載の発明は、請求項１記載の画像読取装置において、前記押圧手段は、前記ミラーの反射面に対して垂直な面を押圧する板ばねを含むことを特徴とする。
【００１７】
請求項２記載の発明によれば、板ばねのみによってミラーを押さえることができるため、部品点数を削減することができ、材料コスト、ひいては製造コストを低減することができる。また、板ばねによってミラーを一定力で押圧することができるため、安定した振動防止効果が得られ、画品質が安定する。
【００１８】
【発明の実施の形態】
次に、本発明にかかる画像読取装置の実施の形態について、図１乃至図５を参照しながら説明する。尚、以下の説明においては、上記従来の画像読取装置と同一の構成要素については、同一の参照番号を付して詳細説明を省略する。
【００１９】
本発明にかかる画像読取装置は、互いに平行な一対のガイド部材６ａと、ガイド部材６ａに沿って走行可能に取り付けられた走行体１５と、両端部が走行体１５に固定されたミラー１１とを備え、ミラー１１の長手方向の略々中央部において、ミラー１１の反射面１１ａに対して垂直な面１１ｂを押圧する押圧手段としての板ばね１７を、前記走行体１５にねじ１４を介して設けたことを特徴とする。
【００２０】
次に、上記構成を有する画像読取装置の動作について、図１乃至図５を参照しながら説明する。
【００２１】
モータ２４による回転駆動を、タイミングベルト２３によって、ベルトプーリ２５に伝達すると、ドラムシャフト２とドラム１が回転し、ドラム１にワイヤー５が巻き取られる。これによって、ワイヤー５に連結された光学ユニット３、４がけん引され、滑り材１８を介してガイド部材６ａ上を移動して原稿８を読取走査する。ここで、板ばね１７は、ミラー１１の反射面１１ａに対して垂直な面１１ｂの方向へ常に一定の押圧力でミラー１１を押圧し続けるため、ミラー１１が撓むことがなく、焦点を合わせるための作業が容易となるとともに、安定した振動防止効果が得られ、画品質が安定する。
【００２２】
尚、上記実施例においては、ミラー１１の長手方向の略々中央部において、ミラー１１の反射面１１ａに対して垂直な面１１ｂを押圧する押圧手段として、板ばね１７を採用した場合について説明したが、板ばね１７に代えて、弾性のある樹脂材等を用いることも可能である。
【００２３】
【発明の効果】
以上説明したように、本発明によれば、製造コストが低く、画品質を安定させることができ、組立が容易な画像読取装置を提供することができる。
【図面の簡単な説明】
【図１】本発明にかかる画像読取装置の一実施の形態を示す斜視図である。
【図２】図１の画像読取装置のミラーの長手方向中央部を示す断面図である。
【図３】図１の矢視Ａ図である。
【図４】従来及び本発明にかかる画像読取装置を示す上面図である。
【図５】図４のＢ−Ｂ線断面図である。
【図６】従来の画像読取装置におけるジッタの一例を示す図であって、（ａ）は原稿を、（ｂ）は読取画を示す概略図である。
【図７】従来の画像読取装置（第１従来例）を示す斜視図である。
【図８】図７の画像読取装置のミラーの長手方向中央部を示す断面図である。
【図９】図７の矢視Ｃ図であって、ミラーが撓む状態を示す概略図である。
【図１０】従来の画像読取装置（第２従来例）を示す斜視図である。
【図１１】図１０の画像読取装置のミラーの長手方向中央部を示す断面図である。
【図１２】従来の画像読取装置ミラー支持構造（第３従来例）を示す斜視図である。
【符号の説明】
１            ドラム
２            シャフト
３            光学ユニット
４            光学ユニット
５            ワイヤー
６            筐体
６ａ        ガイド部材
７            ガラス板
８            原稿
９            ランプ
１０        プーリ
１１        ミラー
１１ａ    反射面
１１ｂ    （反射面１１ａに対して）垂直な面
１２        ブラケット
１３        スポンジ
１４        ねじ
１５        走行体
１６        板ばね
１７        板ばね
１８        滑り材
１９        読取画
２０        原稿の直線
２１        ジッタ
２２        （読取反射）光
２３        タイミングベルト
２４        モータ
２５        ベルトプーリ
２６        板ばね
２６ａ    スリット
２６ｂ    分割部分の一方
２６ｃ    分割部分の他方
２６ｄ    他片側
２７        ミラー支持部
２７ａ    平坦面
２８        突起
【図１】
2004341010.tif 000003
【図２】
2004341010.tif 000004
【図３】
2004341010.tif 000005
【図４】
2004341010.tif 000006
【図５】
2004341010.tif 000007
【図６】
2004341010.tif 000008
【図７】
2004341010.tif 000009
【図８】
2004341010.tif 000010
【図９】
2004341010.tif 000011
【図１０】
2004341010.tif 000012
【図１１】
2004341010.tif 000013
【図１２】
2004341010.tif 000014